(57)【要約】【課題】ゴルフボールにパッティングラインまたは自分のボールであることを認識できる標識を迅速かつ正確に印刷することができるゴルフボールライナーを提供すること。【解決手段】内部空間にゴルフボールが収容されるハウジング、前記ハウジングに装着されて前記ゴルフボールと近くなる方向または遠くなる方向に向かって移動する移動部、前記移動部の内部空間に装着される支持部、前記支持部に支持されて前記移動部および支持部とともに移動しながらゴルフボールにパッティングラインまたは標識を印刷するスタンプ、前記スタンプと支持部にそれぞれ形成され前記スタンプと支持部を結合または分離させる第１着脱部とを備える。【選択図】図１
2017170111.tif 000002
【特許請求の範囲】
【請求項１】
内部空間にゴルフボールが収容されるハウジングと、
前記ハウジングに装着されて前記ゴルフボールと近くなる方向または遠くなる方向に向かって移動する移動部と、
前記移動部の内部空間に装着される支持部と、
前記支持部に支持されて前記移動部および支持部とともに移動しながらゴルフボールにパッティングラインまたは標識を印刷するスタンプと、
前記スタンプと支持部にそれぞれ形成され、前記スタンプと支持部を結合または分離させる第１着脱部とを備える
ことを特徴とするゴルフボールライナー。
【請求項２】
前記第１着脱部は、
前記スタンプと支持部のうちいずれか一つの両側には、第１スライド部を形成し、
他の一つの両側には、第１レール部を形成して前記スタンプと支持部がスライディング作動を通じて分離または結合できる
請求項１に記載のゴルフボールライナー。
【請求項３】
前記移動部と支持部にそれぞれ形成され、前記移動部と支持部を結合または分離させる第２着脱部を備え、
前記第２着脱部は、
前記移動部と支持部のうちいずれか一つの両側には、第２スライド部を形成し、
他の一つの両側には、第２レール部を形成して前記移動部と支持部がスライディング作動を通じて分離または結合できる
請求項１に記載のゴルフボールライナー。
【請求項４】
前記移動部とハウジングの間に設置され、弾性力によって前記ゴルフボール方向に移動した移動部を本来の位置に復帰させる復帰部を備える
請求項３に記載のゴルフボールライナー。
【請求項５】
前記支持部の両側に形成されて前記第２レール部または第２スライド部と一定間隙離隔されるホルダー部と、
前記ハウジングの両側に形成されて前記ホルダー部の移動を案内するガイドと、
前記ガイドの終端から直角方向に連結されて前記移動部の回転時に前記ホルダー部が係止されて固定されるストッパーとを備える
請求項３に記載のゴルフボールライナー。
【発明の詳細な説明】
【技術分野】
【０００１】
本発明は、ラウンディングする多くの人々それぞれが使用するボールの中で自分のボールを容易に捜し出すことができるようにするための標識およびパッティング方向を知らせるためのパッティングラインを迅速かつ正確に印刷できるようにしたゴルフボールライナーに関するものである。
【背景技術】
【０００２】
ゴルフの大衆化によってゴルフ場に行く人々が日々増えているが、ゴルフ場の供給がこれに追いつくことができず、最近ではほとんどのゴルフ場において、ラウンディングスケジュールがきつくなっている。
【０００３】
したがって、常に最大の人員でラウンディングをせざるを得なくなっているが、大勢の人員が一緒にラウンディングをすると、近接しているゴルフボールが誰のものであるかを確認できない場合がしきりに発生し、特に、このような場合はグリーンオンの後さらによく発生するため、これによって大小の言い争いが発生する。
【０００４】
したがって、これを防止するために、各自がサインペンやマーカーペンを利用して自分のゴルフボールに所定の表示をしたり、名前、イニシャルなどを表記したりする。
【０００５】
しかし、曲面の表面を有する小さいゴルフボールに手で正確にこのような表示をすることは難しく、表示が過度に大きいと美観上にも逆効果があるだけでなくプレーにも大きな支障をもたらしかねない。
【０００６】
前記した問題点を解決するために、既登録された実用新案「第２０−０３２０１８２号、考案の名称：整列ラインを有するゴルフボールおよびその表示器」が提案されたことがある。
【０００７】
前記した先行技術はゴルフボールを取り囲む表示器に表示手段を形成してゴルフボールにラインを容易に表示できるようにしたものである。
【０００８】
しかし、前記した先行技術の場合、使用者がペンなどの筆記道具を利用して一つ一つゴルフボールの表面に標識に沿って描かなければならない不都合な点があり、ゴルフボールを支持する構造がないため標識を描く途中ではずれて誤って描いてしまう問題点がある。
【先行技術文献】
【特許文献】
【０００９】
【特許文献１】登録実用新案公報第２０−０３２０１８２号（２００３．０７．０４．）
【発明の概要】
【発明が解決しようとする課題】
【００１０】
本発明は、前記した従来技術の問題点を解決するために案出されたもので、ゴルフボールにパッティングラインまたは自分のボールであることを認識できる標識を迅速かつ正確に印刷できるゴルフボールライナーを提供することを課題とする。
【課題を解決するための手段】
【００１１】
本発明に係るゴルフボールライナーは、内部空間にゴルフボールが収容されるハウジング、前記ハウジングに装着されて前記ゴルフボールと近くなる方向または遠くなる方向に向かって移動する移動部、前記移動部の内部空間に装着される支持部、前記支持部に支持されて前記移動部および支持部とともに移動しながらゴルフボールにパッティングラインまたは標識を印刷するスタンプ、前記スタンプと支持部にそれぞれ形成され、前記スタンプと支持部を結合または分離させる第１着脱部を含む。
【００１２】
そして、前記第１着脱部は前記スタンプと支持部のうちいずれか一つの両側には第１スライド部を形成し、他の一つの両側には第１レール部を形成して前記スタンプと支持部がスライディング作動を通じて分離または結合できるようにする。
【００１３】
また、前記移動部と支持部にそれぞれ形成され、前記移動部と支持部を結合または分離させる第２着脱部を含み、
【００１４】
前記第２着脱部は前記移動部と支持部のうちいずれか一つの両側には第２スライド部を形成し、他の一つの両側には第２レール部を形成して前記移動部と支持部がスライディング作動を通じて分離または結合できるようにする。
【００１５】
そして、前記移動部とハウジングの間に設置され、弾性力を通じて前記ゴルフボール方向に移動した移動部を本来の位置に復帰させる復帰部を含む。
【００１６】
また、前記支持部の両側に形成されて前記第２レール部または第２スライド部と一定間隙離隔されるホルダー部、前記ハウジングの両側に形成されて前記ホルダー部の移動を案内するガイド、前記ガイドの終端から直角方向に連結されて前記移動部の回転時に前記ホルダー部が係止されて固定されるストッパーを含む。
【発明の効果】
【００１７】
本発明に係るゴルフボールライナーは、第１着脱部を通じて支持部にパットライン印刷用スタンプまたは標識印刷用スタンプを容易に結合してゴルフボールの表面にパッティングラインまたは標識を選択的に印刷できることによって、活用度が広い効果がある。
【００１８】
そして、本発明に係るゴルフボールライナーは、従来の手作業でゴルフボールにペンでパッティングラインまたは標識を印刷する技術とは異なり、スタンプ方式でパッティングラインまたは標識を迅速かつ正確に印刷できるため、ゴルフ競技が遅れることなく円滑に進行できる効果がある。
【００１９】
また、ゴルフボールライナーを使用しないため引き出しなどの保管場所に保管しようとする場合、移動部に一定の力を加えて下降させてホルダー部とストッパーを水平線上に位置させてから前記移動部を回転させると両ホルダー部がストッパーにそれぞれ係止されて固定され、これによってゴルフボールライナーの全体長さを１／２程度に縮小させることができるため、保管場所の空間活用度を向上できる効果がある。
【図面の簡単な説明】
【００２０】
【図１】本発明に係るゴルフボールライナーを示した分解斜視図
【図２】本発明に係るゴルフボールライナーに適用された移動部の内部状態を示した底面図
【図３】本発明に係るゴルフボールライナーに適用された支持部を示した斜視図
【図４】本発明に係るゴルフボールライナーに適用されたスタンプを示した分解斜視図
【図５】本発明に係るゴルフボールライナーの結合状態を示した断面図
【図６】図５に示されたゴルフボールライナーの作動状態を示した断面図
【図７】本発明に係るゴルフボールライナーに適用されたパッティングライン印刷用スタンプと標識印刷用スタンプの取替え過程を示した斜視図
【図８】本発明に係るゴルフボールライナーの長さが縮小された状態を示した斜視図
【図９】図８に示されたゴルフボールライナーの断面図
【発明を実施するための形態】
【００２１】
以下、図面を参照して本発明を具体的に説明する。
【００２２】
図１は本発明に係るゴルフボールライナーを図示した分解斜視図で、図２は本発明に係るゴルフボールライナーに適用された移動部の内部状態を図示した底面図であり、図３は本発明に係るゴルフボールライナーに適用された支持部を図示した斜視図で、図４は本発明に係るゴルフボールライナーに適用されたスタンプを図示した分解斜視図であり、図５は本発明に係るゴルフボールライナーの結合状態を図示した断面図で、図６は図５に図示されたゴルフボールライナーの作動状態を図示した断面図であり、図７は本発明に係るゴルフボールライナーに適用されたパッティングライン印刷用スタンプと標識印刷用スタンプの取替え過程を図示した斜視図で、図８は本発明に係るゴルフボールライナーの長さが縮小された状態を図示した斜視図であり、図９は図８に図示されたゴルフボールライナーの断面図である。
【００２３】
本発明に係るゴルフボールライナー１はゴルフボール７０の表面にパッティングラインまたは標識を選択的に印刷できるようにするためのもので、ハウジング１０、移動部２０、支持部３０、スタンプ４０、第１着脱部を含む。
【００２４】
前記ハウジング１０はゴルフボール７０が収容されるもので、一側にゴルフボール７０が出入りできる出入口１０ａが形成され、内部にはゴルフボール７０を収容できるように空き空間が形成される。
【００２５】
図面には前記ハウジング１０が円筒状のものと図示されているが、これに限定されず、内部にゴルフボール７０を収容できる構造であれば円筒状以外にも多様に変形可能である。
【００２６】
前記ハウジング１０の上部は開口されて、後述するスタンプ４０および支持部３０が前記ハウジング１０の空き空間に収容され得る。
【００２７】
そして、前記ハウジング１０の底面の端には前記出入口１０ａを通じて空き空間に収容されたゴルフボール７０を固定するホルダー部１１が形成される。
【００２８】
前記ホルダー部１１は一側面が前記ハウジング１０の内側壁に接触され、他側面は曲線の形状で陥没する。
【００２９】
すなわち、前記ホルダー部１１の他側面はゴルフボール７０の外周面と相応する内周面を有するように形成されて前記ゴルフボール７０の一部分を囲んで固定し、これによって後述するスタンプ４０を通じてゴルフボール７０の表面にパッティングラインや標識を印刷する過程で発生する接触衝撃によって前記ゴルフボール７０が動かないようにするのである。
【００３０】
一方、前記ハウジング１０の両側には後述するホルダー部３５の移動を案内するためのガイド１２およびホルダー部３５の移動を制限するためのストッパー１３が形成される。
【００３１】
前記ガイド１２は前記ハウジング１０の長さ方向に沿って形成されるホールであり、前記ストッパー１３はガイド１２の下端から直角方向に連結形成されるホールである。
【００３２】
2017170111.tif 000003
【００３３】
このとき、前記ガイド１２はハウジング１０の内部空間を挟んで対称形成され、前記それぞれのストッパー１３はそれぞれ違う方向に向かって形成され、ホルダー部３５が回転方式で固定されるようにする。
【００３４】
前記ストッパー１３を用いたホルダー部３５の固定方式は以下で詳細に説明する。
【００３５】
前記移動部２０は後述するスタンプ４０を前記ホルダー部１１に固定されたゴルフボール７０と近くなる方向に移動させるか遠くなる方向に移動させるもので、前記ハウジング１０と同じ形状で形成され、下部が開放されて内部空間が形成されて前記ハウジング１０の外周縁に装着される。
【００３６】
すなわち、前記移動部２０は内径が前記ハウジング１０の外径より大きい直径を有するように形成され、前記ハウジング１０の長さ方向に沿って移動することができ、これによって前記ゴルフボール７０に近くなるか遠くなることができるのである。
【００３７】
2017170111.tif 000004
【００３８】
前記第１固定部２３は後述する補助復帰部５０を固定するためのもので、前記フレーム２１は後述する第２レール部２２または第２スライド部３２を形成して支持部３０を結合するためのものであり、前記補助復帰部５０の固定方式および支持部３０の結合方式は以下で詳細に説明する。
【００３９】
そして、前記ハウジング１０の上端と移動部２０の天井面の間にはコイルスプリングによって形成される復帰部６０が設置されて、移動部２０はハウジング１０と近くなる方向に移動する場合、復帰部６０の弾性力によって本来の位置に自動復帰する。
【００４０】
前記支持部３０は後述するスタンプ４０を支持するもので、一側面と上面が開放され、内部に空き空間が形成された箱状に形成され、第２スライド部３２と第２レール部２２で構成される第２着脱部を通じて前記移動部２０にスライディング方式で結合または分離される。
【００４１】
具体的に、前記第２スライド部３２は前記移動部２０と支持部３０のうちいずれか一つの両側に垂直形成され、前記第２レール部２２は他の一つの両側に垂直形成され得、以下では前記第２スライド部３２が支持部３０に形成され、前記第２レール部２２が移動部２０のフレーム２１に形成された例を挙げて説明する。
【００４２】
前記第２スライド部３２は前記支持部３０の上側両側面に長方形の棒状に対称形成され、前記第２レール部２２は前記フレーム２１の両側内側面、すなわち前記第１固定部２３と向き合う面に溝の形態で対称形成される。
【００４３】
このとき、前記第２レール部２２は前記第２スライド部３２と略同じ長さを有するように形成されて、前記第２スライド部３２のスライディングを案内することによって前記支持部３０が移動部２０に結合または分離され得るようにする。
【００４４】
また、前記第２スライド部３２は第２レール部２２よりも一回り少々広い幅を有するように形成されて締り嵌め方式でスライディング結合される。したがって、前記支持部３０に一定の力を加えて引っ張らない限り、前記第２スライド部３２が第２レール部２２から分離されないため、前記移動部２０と支持部３０の結合安定性を確保することができる。
【００４５】
一方、前記支持部３０の底面の中央部分には第１固定部２３とともに補助復帰部５０を固定するための円形のピンの形態の第２固定部３４が一体形成される。
【００４６】
前記第２固定部３４は第１固定部２３と垂直線上に位置され、前記補助復帰部５０はコイルスプリングによって形成される。
【００４７】
前記補助復帰部５０は上側に前記第１固定部２３が締り嵌め方式で挿入され、下側に前記第２固定部３４が締り嵌め方式で挿入されて移動部２０と支持部３０の間に固定される。
【００４８】
一方、前記支持部３０の両側面には膨出部３３が一体形成され、前記膨出部３３には前記ガイド１２に沿って移動するホルダー部３５が一体形成される。
【００４９】
このとき、前記膨出部３３は前記支持部３０の中央部分から下端まで接触され、下側の一部分が支持部３０の下側に突出される長さを有するように形成されて後述する第１着脱部を形成することができる。
【００５０】
前記ホルダー部３５は一定の長さを有する長方形の棒状に形成される。
【００５１】
前記ホルダー部３５は前記膨出部３３の下部の外側面に形成されて前記第２スライド部３２と一定間隙離隔して前記ガイド１２に挿入される。
【００５２】
このとき、前記支持部３０は四角の箱状に形成されて弾性力を有することによって、前記ハウジング１０の開口された部分を通じて支持部３０の下側から引入させると前記ホルダー部３５がハウジング１０の内側面に加圧されて両膨出部３３が近くなる方向に圧縮され、前記ホルダー部３５が前記ガイド１２に挿入されると両膨出部３３は弾性力によって本来の形態に復元される。
【００５３】
すなわち、前記支持部３０は前記のような膨出部３３の特徴を通じて前記ハウジング１０に容易に結合または分離することができるのである。
【００５４】
前記のようにホルダー部３５がガイド１２に挿入された状態で移動部２０を下降させる場合、前記ホルダー部３５は前記ガイド１２に沿って下降しながら前記支持部３０の下降を案内する。
【００５５】
そして、前記移動部２０が復帰部６０により上昇する過程では前記ストッパー１３が前記ガイド１２に沿って上昇しながら前記支持部３０の上昇を案内する。
【００５６】
一方、前記スタンプ４０はホルダー部１１に固定されたゴルフボール７０の表面にパッティングラインまたは標識を印刷するもので、ゴルフボール７０の表面にパッティングラインを印刷するためのパッティングライン印刷用スタンプ４０ａと、ゴルフボール７０の表面に標識を印刷するための標識印刷用スタンプ４０ｂに分割形成される。
【００５７】
前記パッティングライン印刷用スタンプ４０ａと標識印刷用スタンプ４０ｂは後述する第１着脱部を通じて支持部３０に選択的に結合または分離される。
【００５８】
前記パッティングライン印刷用スタンプ４０ａと標識印刷用スタンプ４０ｂそれぞれは、一側に印刷面４１１が形成された印刷部４１と、前記印刷部４１の外面に装着されて前記印刷部４１を固定および保護するケース４２で構成される。
【００５９】
前記ケース４２には前記印刷部４１を安定して固定するための溝または突起の形態の固定部（図示されず）が形成され得、前記印刷面４１１はケース４２の外部に露出され、ゴルフボール７０と向き合う形態である。
【００６０】
前記印刷面４１１はゴルフボール７０の外周面と相応する内周面を有するように形成されてその全体がゴルフボール７０と完全に密着することができる。
【００６１】
図面に図示してはいないが、前記パッティングライン印刷用スタンプ４０ａの印刷面４１１にはパッティングラインが陰刻または陽刻の形態で形成され、前記標識印刷用スタンプ４０ｂの印刷面４１１には標識が陰刻または陽刻の形態で形成される。
【００６２】
前記パッティングラインはゴルファーにパッティング方向を知らせるためのもので、アルファベットの「Ｔ」字状に形成され得る。
【００６３】
このような場合、水平部分はパターの位置を知らせる用途で活用でき、垂直部分はパッティング方向を知らせる用途で活用できる。
【００６４】
前記パッティングラインの形状はアルファベットの「Ｔ」字状に限定されず、一般的にフィールドでパッティングラインの用途で使用する多様な形状のうちいずれか一つであり得る。
【００６５】
前記標識はフィールドなどの公共の場所で自分のゴルフボール７０を識別できるようにするためのもので、その形状はロゴ、絵、図形、使用者のイニシャル、使用者のサインなど、多様な形状で形成され得る。
【００６６】
そして、前記標識はロゴ、絵、図形、使用者のイニシャル、使用者のサインのうち選択されるいずれか一つまたは二つ以上で印刷面４１１に形成され得る。
【００６７】
すなわち、前記標識は使用者の選好度に合わせた形状に製作することができるのである。
【００６８】
このような標識をゴルフボール７０に印刷する場合、識別表示の選択幅が広くなり、多くの人が各自違った標識を選定して使うことができる。
【００６９】
また、前記印刷面４１１にはパッティングラインと標識をともに形成することができ、このような場合、一つのスタンプ４０でゴルフボール７０の表面にパッティングラインと標識を同時に印刷することができる。
【００７０】
前記印刷部４１は自体に朱肉またはインクが充電されており、吸水性のあるスラブ（ｓｌａｂ）材質やスポンジ材質またはその他スポンジと類似の形態の多様なゴム材質によって形成され得る。
【００７１】
すなわち、一般にゴルフボール７０は表面に複数個の谷部と山部が連続的に交差形成されるため、印刷部４１が弾力性がある材質によって形成される場合、前記印刷面４１１がゴルフボール７０の谷部には接触することができず、山部にのみ接触される。このような場合、パッティングラインまたは標識はゴルフボール７０の山部にのみ印刷され、結果的にゴルフボール７０の表面に印刷されたパッティングラインまたは標識が断絶されてしまいフィールドでの識別が困難となる。
【００７２】
したがって、前記印刷部４１をスラブ（ｓｌａｂ）材質やスポンジ材質またはその他スポンジと類似の形態の多様なゴム材質で形成する場合、印刷面４１１がゴルフボール７０の山部と谷部の両方に接触することができる。これによって、パッティングラインまたは標識をゴルフボール７０の表面上で断絶されずに連続的に連結された形態で印刷することができるため、識別が容易となるのである。
【００７３】
また、前記印刷部４１は内部にインクや朱肉が充電されていることによって、取替えることなく持続的に使用できる長所がある。
【００７４】
このような印刷部４１の内部にインクまたは朱肉を注入する方法は、印刷面４１１にインクや液相の朱肉を落として内部に染み入るようにするか、ケース４２に印刷部４１と連結される注入ホール４２１を形成してインクや液相の朱肉を注入する方法を用いることができる。
【００７５】
そして、インクまたは朱肉の色は制限されないが使用者がフィールドで容易に識別できるように、よく目につく色を適用することが好ましい。
【００７６】
前記第１着脱部は前述した通り、パッティングライン印刷用スタンプ４０ａと標識印刷用スタンプ４０ｂのうちいずれか一つを前記支持部３０に選択的に結合または分離して使用できるようにするもので、第１スライド部３１と第１レール部４３で構成される。
【００７７】
前記第１スライド部３１は前記スタンプ４０と支持部３０のうちいずれか一つの両側に形成され、前記第１レール部４３は他の一つの両側に形成され得、以下では前記第１スライド部３１が支持部３０に形成され、前記第１レール部４３が前記スタンプ４０に形成された例を挙げて説明する。
【００７８】
前記第１スライド部３１は全体が一定の長さを有する長方形の棒または台形状に形成され得、前記支持部３０の両膨出部３３の下端内側面に対称形成され、前記第１スライド部３１と支持部３０の底面の間には空き空間が形成される。
【００７９】
2017170111.tif 000005
【００８０】
前記第１スライド部３１は第１レール部４３に沿って円滑にスライディングできるように前記膨出部３３の幅方向に沿って形成される。
【００８１】
前記第１レール部４３は前記ケース４２の両側面上部にそれぞれ形成され、概略中央部分に前記第１スライド部３１が挿入されてスライディングできるスライディング案内溝４３１が長さ方向に沿って形成される。
【００８２】
すなわち、本発明に係るゴルフボールライナー１は、前記パッティングライン印刷用スタンプ４０ａと支持部３０、標識印刷用スタンプ４０ｂと支持部３０が前記第１レール部４３および前記第１レール部４３に沿ってスライディングされる第１スライド部３１を通じて結合または分離できることにより、ゴルフボール７０の表面にパッティングラインまたは標識を選択的に印刷できるのである。
【００８３】
このとき、前記第１スライド部３１と第１レール部４３を反対の極性を有する材質で形成して磁力によって付着させることができる。
【００８４】
このような場合、前記支持部３０とスタンプ４０ａ、４０ｂ間の結合安定性が確保されて前記ゴルフボール７０の表面にパッティングラインまたは標識を印刷する過程でのスタンプ４０の流動を防止することができ、ゴルフボール７０の表面に印刷されるパッティングラインまたは標識の不良を防止することができる。
【００８５】
以下、図５〜図９を参照して本発明に係るゴルフボールライナーの作動およびその過程で表れる特有の効果について説明する。
【００８６】
まず、ハウジング１０の出入口１０ａを通じてゴルフボール７０を収容してホルダー部１１に固定させる。
【００８７】
このとき、支持部３０に結合されたスタンプ４０はパッティングライン印刷用スタンプ４０ａであり得る。
【００８８】
その後、図６のように移動部２０に一定の力を加えて下降させると支持部３０とパッティングライン印刷用スタンプ４０ａがともに下降しながらゴルフボール７０の表面にパッティングラインを印刷する。
【００８９】
このとき、移動部２０と支持部３０およびパッティングライン印刷用スタンプ４０ａが下降する過程でストッパー１３がガイド１２に沿って下降するので、前記パッティングライン印刷用スタンプ４０ａはゴルフボール７０に向かってまっすぐに下降することができる。
【００９０】
そして、前記のように、移動部２０と支持部３０およびパッティングライン印刷用スタンプ４０ａが下降する過程で復帰部６０は移動部２０の天井面とハウジング１０の上端の間で圧縮された状態となる。
【００９１】
前記のようにゴルフボール７０の表面にパッティングラインを印刷してから移動部２０に加えていた力を解除すると、復帰部６０が本来の形態に復元されて前記移動部２０と支持部３０およびパッティングライン印刷用スタンプ４０ａが上昇して元の位置となる。
【００９２】
このとき、移動部２０と支持部３０およびパッティングライン印刷用スタンプ４０ａが上昇する過程においてもストッパー１３とガイド１２によりまっすぐに上昇することができる。
【００９３】
そして、前記ハウジング１０の上端と移動部２０の天井面の間には復帰部６０が設置されて前記移動部２０が自動で元の位置となるようにすることができる。
【００９４】
その後、ゴルフボール７０の表面に標識を印刷しようとする場合、図７のように前記支持部３０をハウジング１０から分離した後、支持部３０からパッティングライン印刷用スタンプ４０ａをスライディング方式で分離してから標識印刷用スタンプ４０ｂをスライディング方式で結合する。
【００９５】
そして、前記ハウジング１０の出入口１０ａを通じてゴルフボール７０を収容してホルダー部１１に固定した後、移動部２０に一定の力を加えて支持部３０とパッティングライン印刷用スタンプ４０ａを下降させてゴルフボール７０の表面に標識を印刷する。
【００９６】
以上で説明した通り、本発明に係るゴルフボールライナー１は第１着脱部を通じて支持部３０にパッティングライン印刷用スタンプ４０ａまたは標識印刷用スタンプ４０ｂを容易に結合してゴルフボール７０の表面にパッティングラインまたは標識を選択的に印刷できることによって、活用度が広い利点がある。
【００９７】
また、本発明に係るゴルフボールライナー１は従来の手作業でゴルフボール７０にペンでパッティングラインまたは標識を印刷する技術とは異なり、スタンプ４０方式でパッティングラインまたは標識を迅速かつ正確に印刷できるためゴルフ競技が遅れることなく円滑に進行できる。
【００９８】
付加的に、図８および図９のように、本発明に係るゴルフボールライナー１を使用しないため引き出しなどの保管場所に保管しようとする場合、移動部２０に一定の力を加えて下降させてホルダー部３５とストッパー１３を水平線上に位置するようにする。
【００９９】
このとき、前記復帰部６０はハウジング１０と移動部２０の間で圧縮された状態となり、前記補助復帰部５０は移動部２０と支持部３０の間で圧縮された状態となる。
【０１００】
引き続き、前記移動部２０を一方向に回転させるとホルダー部３５がストッパー１３にそれぞれ係止されて固定され、これによってゴルフボールライナー１の全体の長さを１／２程度に縮小させることができるため、保管場所の空間活用度を向上させることができる。
【０１０１】
これとは反対に、ゴルフボールライナー１を再び使用しようとする場合、前記移動部２０を他方向に回転させるとホルダー部３５がストッパー１３から離脱し、前記復帰部６０と補助復帰部５０が本来の形態に復元されて前記移動部２０と支持部３０およびスタンプ４０ａ、４０ｂを本来の位置に復帰させる。
【０１０２】
以上、本発明を図面に図示された実施例を参照して説明した。しかし、本発明はこれに限定されず、本発明が属する技術分野で通常の知識を有した者によって本発明と均等な範囲に属する多様な変形例または他の実施例が可能である。
【符号の説明】
【０１０３】
１：ゴルフボールライナー
１０：ハウジング
１０ａ：出入口
１１、３５：ホルダー部
１２：ガイド
１３：ストッパー
２０：移動部
２１：フレーム
２２：第２レール部
２３：第１固定部
３０：支持部
３１：第１スライド部
３２：第２スライド部
３３：膨出部
３４：第２固定部
４０：スタンプ
４０ａ：パッティングライン印刷用スタンプ
４０ｂ：標識印刷用スタンプ
４１：印刷部
４１１：印刷面
４２：ケース
４２１：注入ホール
４３：第１レール部
４３１：スライディング案内溝
５０：補助復帰部
６０：復帰部
７０：ゴルフボール
【図１】
2017170111.tif 000006
【図２】
2017170111.tif 000007
【図３】
2017170111.tif 000008
【図４】
2017170111.tif 000009
【図５】
2017170111.tif 000010
【図６】
2017170111.tif 000011
【図７】
2017170111.tif 000012
【図８】
2017170111.tif 000013
【図９】
2017170111.tif 000014